(57)【要約】      （修正有）【課題】電解コンデンサ用台座や電解コンデンサ用外装枠が埋め立て廃棄された場合でも、環境への悪影響が低い電解コンデンサを提供する。【解決手段】電解コンデンサ用台座や電解コンデンサ用外装枠として、地中環境で微生物の力により分解する生分解性プラスチックであるポリケイ皮酸を素材としたものを用いることで、電解コンデンサが埋め立て排棄された場合でも台座や外装枠が分解し地中環境に長く残留することがなくなるため、環境への悪影響が低くなる。【選択図】なし【特許請求の範囲】
【請求項１】
部品素子を内蔵した外装ケースの一端側から一対のリード端子が同一方向に引き出されている電子部品に対して、その外装ケースの一端側に取り付けられるポリケイ皮酸からなる電解コンデンサ用台座。
【請求項２】
部品素子を内蔵した外装ケースの一端側から一対のリード端子が同一方向に引き出されている電子部品に対して、その外径寸法に適合した円筒状の収納空間を有するポリケイ皮酸からなる電解コンデンサ用外装枠。
【発明の詳細な説明】
【技術分野】
【０００１】
この発明は、耐環境性に優れた電解コンデンサ用補助部材、すなわち電解コンデンサ用台座および電解コンデンサ用外装枠に関する。
【背景技術】
【０００２】
コンデンサのチップ化を実現するには、外装枠や台座等の補助部材が用いられる。例えば、特許文献１に示されるように、コンデンサ素子のリード線をケースの開口部を封口する封口部材を通して引き出してなるコンデンサ本体と、このコンデンサ本体のリード線を引き出した端面に当接され、かつリード線が貫通する貫通孔及び外表面に設けた貫通孔につながる凹溝を有する絶縁性台座とからなり、貫通孔を貫通したリード線の先端を丸棒のまま、又は扁平加工を施して凹溝内に収めるように折り曲げ、この折り曲げ部から先を実装基板への半田付け部とするものである。また、たとえば特許文献２に記載された考案のように、従来のコンデンサを外装枠に収納し、端子を外装枠の端面と同一平面に配置したものが提案されている。
【０００３】
ところで、このような補助部材としては、フェノール樹脂や、ＰＰＳ樹脂が用いられている。このような樹脂は化学的に安定した素材であるために、それを用いて形成された電解コンデンサの封口板は耐薬品性、耐環境性、難燃性の点では優れた特性を示す。しかしながら、このような樹脂は環境に及ぼす影響の問題もある。すなわち、このような補助部材は廃棄する場合、難燃性であるために埋め立て廃棄する方法が広く行われているが、このような樹脂は、耐薬品性、耐環境性に優れた素材であるために、フェノール樹脂やＰＰＳ樹脂が分解することなく長期間環境中に残存することになり、環境上好ましいものとは言えない。
【特許文献１】特開昭５９−２１１２１３号公報
【特許文献２】実公昭５９−３５５７号公報
【発明の開示】
【発明が解決しようとする課題】
【０００４】
そこで、このような電解コンデンサ用台座や電解コンデンサ用外装枠が埋め立て廃棄された場合でも、環境への悪影響が低い電解コンデンサを提供するものである。
【課題を解決するための手段】
【０００５】
本発明の電解コンデンサ用台座は、部品素子を内蔵した外装ケースの一端側から一対のリード端子が同一方向に引き出されている電子部品に対して、その外装ケースの一端側に取り付けられるポリケイ皮酸からなることを特徴とする。
【０００６】
本発明の電解コンデンサ用外装枠は、部品素子を内蔵した外装ケースの一端側から一対のリード端子が同一方向に引き出されている電子部品に対して、その外径寸法に適合した円筒状の収納空間を有するポリケイ皮酸からなることを特徴とする。
【発明の効果】
【０００７】
この発明によると、電解コンデンサ用台座、外装枠として生分解性プラスチックであるポリケイ皮酸を素材としたものを用いたので、地中環境等に放置すると、速やかに分解を開始し、環境に長時間残留することがない。従って、環境への影響が少ない。
【発明を実施するための最良の形態】
【０００８】
本発明の電解コンデンサ用台座について説明する。コンデンサ素子のリード線をケースの開口部を封口する封口部材を通して引き出してなるコンデンサ本体と、このコンデンサ本体のリード線を引き出した端面に当接され、かつリード線が貫通する貫通孔及び外表面に設けた貫通孔につながる凹溝を有する絶縁性台座とからなり、貫通孔を貫通したリード線の先端を丸棒のまま、又は扁平加工を施して凹溝内に収めるように折り曲げて電解コンデンサが作製される。ここで、この電解コンデンサ用台座として、ポリケイ皮酸を用いる。
【０００９】
ついで、本発明の電解コンデンサ用外装枠について説明する。電解コンデンサ用電解液を含浸したコンデンサ素子を有底筒状の金属ケースに収納し、コンデンサ素子のリード線をケースの開口部を封口する封口部材を通して引き出して封口する。ついで、このコンデンサをその外径寸法に適合した円筒状の収納空間を有するポリケイ皮酸からなる外装枠に収納し、リード線を外装枠の端面と同一平面に配置して、電解コンデンサを作製する。この電解コンデンサ用外装枠として、ポリケイ皮酸を用いる。
このポリケイ皮酸は、地中環境では微生物の力により分解する樹脂であるために、電解コンデンサを埋め立て処理した場合でも台座、外装枠は分解し、地中環境に長く残留することがなくなる。
【実施例】
【００１０】
以下に実施例により本発明をさらに具体的に説明する。
【００１１】
（実施例１）
電解コンデンサ用電解液を含浸したコンデンサ素子を有底筒状の金属ケースに収納し、コンデンサ素子のリード線をケースの開口部を封口する封口部材を通して引き出して封口する。ついで、このコンデンサ本体のリード線を引き出した端面に、リード線が貫通する貫通孔及び外表面に設けた貫通孔につながる凹溝を有する、ポリケイ皮酸からなる台座を当接する。そして、貫通孔を貫通したリード線の先端を丸棒のまま、又は扁平加工を施して凹溝内に収めるように折り曲げて、電解コンデンサを作製する。
【００１２】
（比較例１）
フェノール樹脂からなる台座を用いて、実施例１と同様に電解コンデンサを作製した。
【００１３】
（実施例２）
電解コンデンサ用電解液を含浸したコンデンサ素子を有底筒状の金属ケースに収納し、コンデンサ素子のリード線をケースの開口部を封口する封口部材を通して引き出して封口する。ついで、このコンデンサをその外径寸法に適合した円筒状の収納空間を有するポリケイ皮酸からなる外装枠に収納し、リード線を外装枠の端面と同一平面に配置して、電解コンデンサを作製する。
【００１４】
（比較例２）
フェノール樹脂からなる外装枠を用いて、実施例１と同様に電解コンデンサを作製した。
【００１５】
（高温放置試験）
実施例および比較例の電解コンデンサを各１０個ずつ１０５℃の恒温槽に１０００時間無負荷放置し、台座、外装枠の劣化の状況を調査した。その結果は、実施例１、２、比較例１、２に異常は見られなかった。この結果から、実施例と比較例に差はなく、ポリケイ皮酸からなる台座を備えた電解コンデンサ、およびポリケイ皮酸からなる外装枠を備えた電解コンデンサの寿命試験において要求される特性を満足できるものであることが確認できた。
【００１６】
（環境試験）
実施例および比較例の電解コンデンサを各１０個ずつ常温の地中環境に１０００時間放置し、台座、外装枠の劣化の状況を調査した。その結果は、実施例１の台座、実施例２外装枠は分解中であったが、比較例１の台座、比較例２の外装枠には異常が見られなかった。この結果から、ポリケイ皮酸を用いた台座、外装枠は地中環境では、分解を開始すること、一方、比較例のフェノール樹脂からなる台座、外装枠は、地中環境の中でもほとんど変化することがないことが確認できた。